(57)【要約】【課題】  薄型フードを有するレンジフードにおいて、油煙捕集能力の低下や通気抵抗の増加を回避し、吸込口と連通する換気装置の小型化・薄型化と共に整流板周囲の各方向の吸込みバランスの適正化を図ったレンジフードを提供する。【解決手段】  空気の流れを発生させる送風機２１と、送風機と吸込口４１を連通する煙道７と、煙道において、吸込口から送風機へ向かう空気の流れの全量が通過するように配置される平面状のフィルタ５０と、を有し、吸込口のフィルタに対向する一辺４２からフィルタを含む平面への垂線の足Ｈは、フィルタ内に位置するレンジフード。【選択図】  図５
2015094483.tif 000002
【特許請求の範囲】
【請求項１】
フードと、
前記フードの上部に設けられる換気装置と、
前記フードの内面に設けられ、前記換気装置と連通する吸込口を有する内面パネルと、
前記フードの下方に設けられ、前記内面パネルと対向する整流板と、
を備え、
前記換気装置は、
空気の流れを発生させる送風機と、
前記送風機と前記吸込口を連通する煙道と、
前記煙道において、前記吸込口から前記送風機へ向かう前記空気の流れの全量が通過するように配置される平面状のフィルタと、
を有し、
前記吸込口の前記フィルタに対向する一辺から前記フィルタを含む平面への垂線の足は、前記フィルタ内に位置する、
レンジフード。
【請求項２】
前記垂線の足は、前記フィルタの中央より下側に位置することを特徴とする請求項１に記載のレンジフード。
【請求項３】
前記フィルタの下端は、前記吸込口の前記一辺に対向する他辺の近傍に配置されることを特徴とする請求項２に記載のレンジフード。
【請求項４】
前記一辺は、前記フードの正面側に位置することを特徴とする請求項１乃至３のいずれかに記載のレンジフード。
【請求項５】
前記一辺は、前記フードの側面側に位置し、
前記吸込口は、平面視でいずれかの側面側に偏心し、
前記一辺からの前記フードの一方の側面端までの距離は、前記他辺から前記フードの他方の側面端までの距離より大きいことを特徴とする請求項１乃至３のいずれかに記載のレンジフード。
【請求項６】
前記フードの厚みは、４０ｍｍ以下であることを特徴とする請求項１乃至５のいずれかに記載のレンジフード。
【発明の詳細な説明】
【技術分野】
【０００１】
本発明は、薄型のフードを有するレンジフードに関する。
【背景技術】
【０００２】
近年、レンジフードのデザインとしてフード厚さを薄くし、フード上部に設ける換気装置を目隠しするダクトカバーをスリムにすることや、幕板タイプの場合にはフード背面から幕板設置位置までの距離を小さく取ることが流行りのデザインの一つとして要求されてきている。
【０００３】
ここで、このような薄型レンジフードの基本的な構成を説明する。薄型レンジフードは、フードの外殻を形成する底面に凹部を形成したフード外郭部と、フード外郭部の底面を覆うようにして滑らかに形成される内面パネルと、内面パネルの底面に対向する位置に取り付けられて内面パネルとの間の周囲の隙間に吸引口を形成する整流板と、フード部上面に設けた吸込口と連通してフード部の上部に設けられる換気装置と、吸込口付近に内面パネルとほぼ面一に取り付けられるフィルタと、を主な部品として構成されていることが多い。
【０００４】
次にこのような基本構成からなるレンジフードを薄型化する場合には、煙捕獲部分の容量の縮小による煙捕集能力の低下、整流板とフード部との隙間で形成する流路断面積の縮小による通気抵抗の増加、内面パネル上面にほぼ面一な状態でフィルタを設けた場合にはフィルタの全面が有効に活用されずに通気抵抗が増加すること、などの問題が生じる。
【０００５】
また、ダクトカバー部分をスリムにすることや、フード背面から幕板設置位置までの距離を小さくするためには換気装置自体を小さくする必要があるが、内面パネル上面にほぼ面一な状態でフィルタが設置されるため、フード部上面の吸込口をフィルタの大きさとほぼ合わせる必要があり、フィルタによる通気抵抗を小さくするためには、フィルタ及び吸込口が大きくならざるを得ないため、吸込口と連通する換気装置自体も大きくなってしまい換気装置を小さくスリムにすることが難しい。
【０００６】
またさらに、換気装置を小さくスリムにすることで、吸込口がフード部中央から偏芯（レンジフード設置壁面側へ）することになるため、換気装置から遠い方向の吸込力が小さくなってしまい、整流板周囲の各方向相互の吸込バランスが乱れてしまい、油煙の捕集能力に悪影響を及ぼすことがある。
【発明の概要】
【発明が解決しようとする課題】
【０００７】
そこで、本発明は、上記問題に鑑みてなされたものであり、本発明の目的とするところは、薄型フードを有するレンジフードにおいて、油煙捕集能力の低下や通気抵抗の増加を回避し、吸込口と連通する換気装置の小型化・薄型化と共に整流板周囲の各方向の吸込みバランスの適正化を図ったレンジフードを提供することである。
【０００８】
本発明者らは、かかる課題を解決し目的を達成するために鋭意検討した結果、煙道内で油煙等を捕集するフィルタを傾ける方向や程度、設置する位置により、煙道入口における吸込力が変化することを見いだし、油煙捕集能力の低下や通気抵抗の増加を回避し、吸込口と連通する換気装置の小型化・薄型化と共に整流板周囲の各方向の吸込みバランスを、設置タイプに応じて適正化を図ったレンジフードを提供できるという、本発明を完成するに至った。
【課題を解決するための手段】
【０００９】
上記課題を解決するために、フードと、そのフードの上部に設けられる換気装置と、フードの内面に設けられ、換気装置と連通する吸込口を有する内面パネルと、フードの下方に設けられ、内面パネルと対向する整流板と、を備え、換気装置は、空気の流れを発生させる送風機と、送風機と吸込口を連通する煙道と、煙道において、吸込口から送風機へ向かう空気の流れの全量が通過するように配置される平面状のフィルタと、を有し、吸込口のフィルタに対向する一辺からフィルタを含む平面への垂線の足は、フィルタ内に位置する、レンジフードが提供される。
これによれば、フィルタを傾斜させることで、吸引力を働かせる整流板周囲の各方向の指向性を備えることができ、吸込みバランスの適正化が図られ、油煙捕集能力の低下を回避したレンジフードを提供することができる。
【００１０】
さらに、垂線の足は、フィルタの中央より下側に位置することを特徴としてもよい。
これによれば、フィルタを大きく傾斜させることで、整流板とフィルタの間の空間が広くとれ、フィルタ全面を通気部として有効に使用することが出来るため、通気抵抗を低くすることができ、風量が増大するとともに、同一風量下での送風機出力を下げることができ騒音値も低下させることができる。また、フィルタを大きく傾斜させることで、換気装置の薄型化も可能となる。
【００１１】
さらに、フィルタの下端は、吸込口の一辺に対向する他辺の近傍に配置されることを特徴としてもよい。
これによれば、フィルタを吸込口の近傍に配置することで、吸引力を働かせる整流板周囲の各方向の指向性を備えることができ、吸込みバランスの適正化が図られ、油煙捕集能力の低下を回避したレンジフードを提供することができる。また、換気装置の小型化が可能となる。
【００１２】
さらに、一辺は、フードの正面側に位置することを特徴としてもよい。
これによれば、通常吸込力が最も必要とされるレンジフードの正面側の吸込力を、他の方向より大きくすることができる。
【００１３】
さらに、一辺は、フードの側面側に位置し、吸込口は、平面視でいずれかの側面側に偏心し、一辺からのフードの一方の側面端までの距離は、他辺からフードの他方の側面端までの距離より大きいことを特徴としてもよい。
これによれば、換気装置から遠い方向の吸込力が弱くなるのを防ぎ、整流板周囲の各方向の吸込みバランスの適正化を図ることができる。
【００１４】
さらに、フードの厚みは、４０ｍｍ以下であることを特徴としてもよい。
フード部の厚みが４０ｍｍ以下程度のレンジフードでは、整流板とフードとの空間距離が小さいため、フードに水平にフィルタを取り付けた場合にはフィルタ全面を有効に活用できないため通気抵抗が高くなり、吸込み性能（風量）が悪くなる傾向にあるが、本構成によれば、かかる問題を解決することができる。
【発明の効果】
【００１５】
以上説明したように、本発明によれば、薄型フードを有するレンジフードにおいて、油煙捕集能力の低下や通気抵抗の増加を回避し、吸込口と連通する換気装置の小型化・薄型化と共に整流板周囲の各方向の吸込みバランスの適正化を図ったレンジフードを提供することができる。
【図面の簡単な説明】
【００１６】
【図１】本発明を説明する概念説明図。
【図２】本発明に係る第一実施例におけるレンジフードの六面図。（Ａ）正面図、（Ｂ）平面図、（Ｃ）底面図、（Ｄ）右側面図。
【図３】本発明に係る第一実施例における、（Ａ）レンジフードを右下から見た斜視図、（Ｂ）レンジフードを右下から見た分解斜視図。
【図４】本発明に係る第一実施例におけるレンジフードの、（Ａ）整流板を取り外した場合の底面図、（Ｂ）吸込口パネルの拡大図。
【図５】本発明に係る第一実施例におけるレンジフードの断面図（図２のＨ−Ｈ断面）。
【図６】本発明に係る第一実施例における吸込口パネルの、（Ａ）正面図、（Ｂ）平面図、（Ｃ）底面図、（Ｄ）右側面図、（Ｅ）右上から見た斜視図。
【図７】本発明に係る第二実施例におけるレンジフードの六面図。（Ａ）正面図、（Ｂ）平面図、（Ｃ）底面図、（Ｄ）右側面図。
【図８】本発明に係る第二実施例における、（Ａ）レンジフードを右下から見た斜視図、（Ｂ）レンジフードを右下から見た分解斜視図。
【図９】本発明に係る第二実施例におけるレンジフードの、（Ａ）整流板を取り外した場合の底面図、（Ｂ）吸込口パネルの拡大図。
【図１０】本発明に係る第二実施例におけるレンジフードの断面図（図７のＫ−Ｋ断面）。
【図１１】本発明に係る第二実施例における吸込口パネルの、（Ａ）正面図、（Ｂ）平面図、（Ｃ）底面図、（Ｄ）右側面図、（Ｅ）右上から見た斜視図。
【発明を実施するための形態】
【００１７】
まず、図１を参照し、煙道内で油煙等を捕集するフィルタを傾ける方向や程度、設置する位置により、煙道入口における吸込力が変化することについて説明する。図１は、換気装置Ｃ４が有するフィルタＣ５０の面に垂直な面における断面図であり、換気装置Ｃ４の一部と空気の流れ方向や流量を矢印で示す。換気装置Ｃ４は、送風機Ｃ２１とファン吸込口Ｃ２２で連通する煙道Ｃ７を備える。煙道Ｃ７は、内部に空気の流れの全量が通過するように配置される平面状のフィルタＣ５０を備えると共に、フィルタＣ５０を挟んでファン吸込口Ｃ２２と反対側に煙道Ｃ７の入り口を備える。この入口は、換気装置Ｃ４に連結されたフードＣ２の内面に備えられる内面パネルＣ３０（または吸込口パネルＣ４０）の吸込口Ｃ４１に一致している。また、この概念説明図では、内面パネルの下方に整流板Ｃ５が備えられている。
【００１８】
送風機Ｃ２１が回転すると、空気の流れＡ１が発生する。したがって、送風機Ｃ２１とフィルタＣ５０との間には大きな負圧が生じているので、フィルタＣ５０の煙道入口側の面では吸込まれる方向であってその面にほぼ垂直にかつほぼ均等に空気の流れＡ２が発生する。空気の流れＡ２により、煙道入口付近である吸込口Ｃ４１では、本図内の矢印Ａ３１〜Ａ３３で示すように、吸込口Ｃ４１における位置により異なる流量の空気の流れが発生する。即ち、フィルタＣ５０を含む平面にほぼ平行をなす、吸込口Ｃ４１の２辺（紙面垂直方向の辺であるＣ４２とＣ４３）の内、そのフィルタ平面からの距離が遠い方にある一辺Ｃ４２に近ければ、大きな流量の空気の流れＡ３１が発生し、逆にそのフィルタ平面からの距離が近い方にある他辺Ｃ４２に近ければ、小さな流量の空気の流れＡ３３が発生し、吸込口Ｃ４１の中央部分では、Ａ３１とＡ３３の中間の流量の空気の流れＡ３２が発生する。内面パネルＣ３０と対向するように整流板Ｃ５が設けられる場合、内面パネルＣ３０と整流板Ｃ５とで形成される隙間から空気が吸込まれることになるが、一辺Ｃ４２に近い方の隙間からは大きな流量の空気の流れＡ４１が吸込まれ、他辺Ｃ４３に近い方の隙間からは小さな流量の空気の流れＡ４２が吸込まれることとなる。
【００１９】
このようにして、フィルタを傾けると、フィルタの吸込み側が対面する煙道内側面側の空気の流れ（Ａ３１）とその煙道内側面と対向する対向面側の空気の流れ（Ａ３３）を比べると、前者の方が流量の大きい空気の流れが生ずることが明らかとなった。即ち、煙道の入り口付近である吸込口では、フィルタ平面から遠い方にある一辺側に近ければ流量の大きな空気の流れが生じ、フィルタ平面から近い方にある他辺側に近ければ流量の小さな空気の流れが生じるのである。かかる技術を使用して、整流板周囲の各方向の吸込みバランスを、設置タイプに応じて適正化を図ることが可能となる。
【００２０】
なお、煙道内におけるフィルタＣ５０の傾け度合いは、適宜選択される。しかし、フィルタ吸込み面が、煙道内で吸込口を含む面と平行に近くなると（図視で水平に近くなると）、フィルタの吸込み側が対面する煙道内側面側の空気の流れ（Ａ３１）とその煙道内側面と対向する対向面側の空気の流れ（Ａ３３）との差が小さくなってくるので、フィルタ吸込み面と吸込口を含む面とのなす角度はある程度大きい方がよい。即ち、フィルタ平面からの距離が遠い方にある一辺Ｃ４２から、換言すれば吸込口Ｃ４１のフィルタＣ５０に対向する一辺Ｃ４２からフィルタＣ５０を含む平面への垂線の足Ｈは、フィルタの上下位置における中央より下側に位置することが好ましい。
【００２１】
また、煙道内におけるフィルタＣ５０の図視上下方向における設置位置は、フィルタＣ５０の下端が吸込口Ｃ４１から遠くなると、フィルタの吸込み側が対面する煙道内側面側の空気の流れ（Ａ３１）とその煙道内側面と対向する対向面側の空気の流れ（Ａ３３）との差が小さくなってくるので、フィルタＣ５０は吸込口から近い方が、即ち、フィルタＣ５０の下端は、吸込口Ｃ４１の一辺Ｃ４２に対向する他辺Ｃ４３の近傍に配置されることが好ましい。例えば、吸込口Ｃ４１のフィルタＣ５０に対向する一辺Ｃ４２からフィルタＣ５０を含む平面への垂線の足Ｈが、フィルタ内にある程度が好ましい。
【００２２】
このようにして煙道内でフィルタを傾けて設置すると、また、煙道内でフィルタを煙道入口近傍に設置すると、吸込口と連通する換気装置の小型化・薄型化が可能となり、さらに整流板周囲の各方向の吸込みバランスを、設置タイプに応じて適正化を図ることが可能となる。
【００２３】
以下では、図面を参照しながら、本発明に係る各実施例について説明する。
＜第一実施例＞
図２〜５は、本発明に係る第一実施例におけるレンジフード１を示す。また、図６は、レンジフード１に使用される吸込口パネル４０を示す。
レンジフード１は、調理器の上方に設けられ、下方または周囲で行われる調理によって発生する湯気や油煙等を含む空気を捕集するための、上方に凹状の内面パネル３０を内面に有する薄型のフード２を有する。内面パネル３０は開口部３１を有し、吸込口パネル４０がその開口部３１に気密に取り付けられる。
【００２４】
そして、吸込口パネル４０は吸込口４１を有し、油煙等を含む空気をその吸込口４１から吸込み、煙道７内に引込み、その煙道７内に配置されるフィルタ５０が油煙等を空気から取り除く。また、フード２の下方に設けられ、内面パネル３０と対向する整流板５を備え、整流板５は、その周囲に、内面パネル３０との間に空気を吸い込む隙間を形成する。なお、吸込口パネル４０は、吸込口４１の周囲に空気の流れの下流側へ立ち上がる立上部４４を備える。吸込口４１は、吸込口パネル４０において、連通口６と一致する位置に適宜設けられる。
【００２５】
フード２は、吸込口パネルの吸込口４１と適合した連通口６付近で、排気ダクト３に接続された送風機ボックス（換気装置）４と連結されている。送風機ボックス４は、連通口６と連通する煙道７と、ファン吸込口２２で煙道７と連通する内部に空気の流れを発生させる送風機２１を有するファンケーシング２０を有する。従って、送風機２１が稼働すると吸込口４１は負圧となり、内面パネル３０の下方の空気は吸込口４１を通して吸入され、煙道７とファンケーシング２０を経由して排気ダクト３を通して外部に排出される。なお、ファン吸込口２２には、空気を低い抵抗でスムースに吸込むようにガイドするため、空気の流れに接する部分にラッパ口形状を有するベルマウス１０を備える。
【００２６】
なお、換気装置とは、本実施例においては送風機ボックス４として記載するが、レンジフードを始めとして、食卓の上方に備えられ換気機能と照明機能とを備えた装置、浴室換気扇、浴室換気乾燥機、天井換気扇などの装置、その他の送風機を備える装置を含むものである。
【００２７】
このレンジフード１では、送風機ボックス（換気装置）４が背面側に偏心し、フード２と送風機ボックス４は背面で面一となっており、背面側で壁に取り付けられるタイプである。吸込口４１の背面側の近傍に、空気の流れを通過させる孔５１を有するフィルタ５０の下端５３が配置されている。フィルタ５０の上端５２は煙道７の正面側内側面に当接し、フィルタ５０の両側端は煙道７の側面側内側面に当接するように配置される。従って、フィルタ５０は、吸込口４１から送風機２１へ向かう空気の流れの全量が孔５１を通って通過するように配置される。
【００２８】
吸込口４１のフィルタ５０に対向する一辺４２からフィルタ５０を含む平面への垂線の足Ｈは、フィルタ５０内に位置する。なお、吸込口４１のフィルタ５０に対向する一辺４２とは、フィルタ５０を含む平面にほぼ平行である吸込口の２辺（一辺４２と他辺４３）の内、その平面からの距離が遠い方にある１辺である。このように、フィルタ５０は、一辺４２がフード２の正面側に位置し、正面側へ吸込み面を下方に向けるようにして配置されることで、内面パネル３０と整流板５との間にできる正面側の隙間に生ずる空気の流れＡ４１の流量は、背面側の隙間に生ずる空気の流れＡ４２の流量よりも大きくなる。これによれば、フィルタ５０を正面側へ傾斜させることで、吸引力を働かせる整流板５の正面側の隙間の方への指向性を備えることができ、吸込みバランスの適正化が図られたレンジフード１を提供することができる。特に、通常吸込力が最も必要とされるレンジフードの正面側の吸込力を、他の方向より大きくすることができる。なお、レンジフードの正面側とは通常調理者が調理時に対面して立つ側の面のことである。
【００２９】
また、垂線の足Ｈは、フィルタ５０の上下位置の中央より下側に位置することが好ましい。垂線の足Ｈがフィルタ５０の上下位置の中央より下側に位置することで、フィルタ５０を大きく傾斜させることができる。そうすると、整流板５とフィルタ５０の間の空間が広くとれ、フィルタ全面を孔５１が存在する通気部として有効に使用することが出来るため、通気抵抗を低くすることができる。また、風量が増大するとともに、同一風量下での送風機出力を下げることができ騒音値も低下させることができる。また、フィルタ５０を大きく傾斜させることで、換気装置４の薄型化も可能となる。
【００３０】
また、フィルタ５０の下端５３は、吸込口４１の一辺４２に対向する他辺４３の近傍に配置されることが好ましい。これによれば、フィルタ５０を煙道７の入り口となる吸込口４１の近傍に配置することで、吸引力を働かせる整流板周囲の各方向の指向性を備えることができ、吸込みバランスの適正化が図られ、油煙捕集能力の低下を回避したレンジフードを提供することができる。また、換気装置の小型化が可能となる。
【００３１】
なお、レンジフード１のフードの厚みは、特に限定されるものではないが、本発明の効果が大きく表れるのは、フード２の厚みが４０ｍｍ以下であるようなフードを備える場合である。このように、フード部の厚みが４０ｍｍ以下程度のレンジフードでは、整流板５とフード２との空間距離が小さいため、フード２に水平にフィルタを取り付けた場合にはフィルタ全面を有効に活用できないため通気抵抗が高くなり、吸込み性能（風量）が悪くなる傾向にあるが、本構成によれば、かかる問題を解決することができる。
【００３２】
＜第二実施例＞
図７〜１０は、本発明に係る第二実施例におけるレンジフード１Ａを示す。また、図１１は、レンジフード１Ａに使用される吸込口パネル４０Ａを示す。なお、重複記載を避けるため、第一実施例と異なるところを主に説明する。
【００３３】
このレンジフード１Ａでは、送風機ボックス（換気装置）４Ａが側面側（左側面側）に偏心し、フード２Ａと送風機ボックス４Ａは側面で面一となっており、側面側で壁に取り付けられるタイプである。吸込口４１Ａの左側面側の近傍に、孔５１Ａを有するフィルタ５０Ａの下端５３Ａが配置されている。フィルタ５０Ａの上端５２Ａは煙道７Ａの右側面側内側面に当接し、フィルタ５０Ａの両側端は煙道７Ａの正面および背面側の内側面に当接するように配置される。従って、フィルタ５０Ａは、吸込口４１Ａから送風機２１Ａへ向かう空気の流れの全量が孔５１Ａを通って通過するように配置される。
【００３４】
なお、吸込口パネル４０Ａにおいて、吸込口４１Ａは、連通口６Ａと一致する位置に適宜設けられる。本実施の場合、第一実施例とは、フィルタの傾斜方向が９０度異なっているので、吸込口４１Ａの縦横比は、吸込口パネル４０Ａの縦横比とは大きく異なった形状をなす。
【００３５】
吸込口４１Ａのフィルタ５０Ａに対向する一辺４２Ａからフィルタ５０Ａを含む平面への垂線の足Ｈは、フィルタ５０Ａ内に位置する。このように、フィルタ５０Ａは、一辺４２Ａがフード２Ａの右側面側に位置し、右側面側へ吸込み面を下方に向けるようにして配置されることで、内面パネル３０Ａと整流板５Ａとの間にできる右側面側の隙間に生ずる空気の流れＡ４１の流量は、左側面側の隙間に生ずる空気の流れＡ４２の流量よりも大きくなる。これによれば、フィルタ５０Ａを右側面側へ傾斜させることで、吸引力を働かせる整流板５Ａの右側面側の隙間の方への指向性を備えることができ、吸込みバランスの適正化が図られたレンジフード１Ａを提供することができる。本実施例のような側面側で壁に取り付けられるタイプでは、壁側の方へ送風機ボックス４Ａが寄ると吸込口４１Ａも壁側（本実施例では左側）に寄るため、壁とは反対側（本実施では右側）における空気の流れの流量が不足する場合があるが、かかる吸引力の指向性を備えることで、壁とは反対側（本実施では右側）での流量も十分に確保することができる。
【００３６】
本実施では、送風機ボックス４Ａが左側面側に偏心しているが、言うまでもなく右側面側に偏心していてもよい。従って、フィルタ５０Ａに対向する一辺４２Ａは、フード２Ａの側面側であって壁とは反対側の側面側に位置する。送風機ボックス４Ａが壁側に偏心することで、吸込口４１Ａも平面視でいずれかの側面側に偏心することとなる。そうすると、一辺４２Ａからのフード２Ａの一方の側面端までの距離は、他辺４３Ａからフード２の他方の側面端までの距離より大きい。なお、フード２Ａの一方の側面端とは、一辺４２Ａと一方の側面端との距離が、（フード横幅−吸込口幅）／２以上となる側面端（図１０内Ｓ１Ａ）を言う。これによれば、換気装置４Ａから遠い方向の吸込力が弱くなるのを防ぎ、整流板周囲の各方向の吸込みバランスの適正化を図ることができる。
【００３７】
なお、本発明は、例示した実施例に限定するものではなく、特許請求の範囲の各項に記載された内容から逸脱しない範囲の構成による実施が可能である。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。従って、上記に開示した形状、材質などを限定した記載は、本発明の理解を容易にするために例示的に記載したものであり、本発明を限定するものではない。
【符号の説明】
【００３８】
１      レンジフード
２      フード
３      排気口
４      送風機ボックス（換気装置）
５      整流板
６      連通口
７      煙道
１０    ベルマウス
２０    ファンケーシング
２１    送風機
２２    ファン吸込口
３０    内面パネル
３１    開口部
４０    吸込口パネル
４１    吸込口
４２    一辺
４３    他辺
４４    立上部
５０    フィルタ
５１    孔
５２    フィルタの下端
５３    フィルタの上端
Ａｘ    空気の流れの向きや大きさ
【図１】
2015094483.tif 000003
【図２】
2015094483.tif 000004
【図３】
2015094483.tif 000005
【図４】
2015094483.tif 000006
【図５】
2015094483.tif 000007
【図６】
2015094483.tif 000008
【図７】
2015094483.tif 000009
【図８】
2015094483.tif 000010
【図９】
2015094483.tif 000011
【図１０】
2015094483.tif 000012
【図１１】
2015094483.tif 000013